(57)【要約】【課題】板材にドリル、ＮＣ及びその他の機械で穴を開けているため、木材の繊維を断ち切っている。そのため強度を得ることが難しく材料は広葉樹に限られる。更に硬化させるためウレタンなどの塗装を施すものが多く、その場合木材の肌触りは消えてしまう。また板材から機械的に製作する為、形状も一律で意匠性に欠ける。【解決手段】  死節（抜節）の節穴内部に納まっている枝を排除した周辺部分から製作する。また、割るという工程を取り入れることで、繊維を断ち切らず加工でき、かつ節周辺の美しい木目の曲線を生かしながら十分な強度が得られる。自然なかたちで空いた死節（抜節）の節穴を使うことに加え、角材や丸太を含む様々な状態の木材から直接製作できるため、立体的でより意匠性の高い形状が得られる。強度面の解決から針葉樹製リング状部材の製作が可能になり、針葉樹の特性により各種装飾品などの用途にも適する木質部材となる。【選択図】図１
2007210319.tif 000002
【特許請求の範囲】
【請求項１】
死節（抜節）から節穴内部に納まっている枝を排除した周辺部分を加工してなることを特徴とする木質リング状部材。
【請求項２】
死節（抜節）から節穴内部に納まっている枝を排除した周辺部分を繊維方向に割り、木目に沿って加工するという工程を取り入れ、板材からだけでなく角材や丸太を含む様々な状態の木材から直接製作できることを特徴とし、木目にそった立体的形状を有する木質リング状部材。
【請求項３】
以下の工程を含むことを特徴とする木質リング状部材の製造方法。
１．  死節（抜節）付近の一定の領域を排除する。
２．  死節（抜節）から周辺部分及び節穴内部に納まっている枝を分離させる。
３．  分離させて穴が空いた部材を成形する。
【発明の詳細な説明】
【技術分野】
【０００１】  木質リング状部材及びその製作方法。
【背景技術】
【０００２】  板材に対してドリル、ＮＣ及びその他の機械で穴を開ける。製品化されるものの多くはＮＣを使った一斉加工である。強度を保つため、リングにある程度の厚さをとる。製品はブナやナラをはじめとした硬い広葉樹を用いる。更に硬化させるためウレタンなどの塗装を施すものが多い。マコー社  重野純子著「手づくりで楽しむ欧風の木彫り」３４頁に紹介されるように、初心者向けの方法としては、キリで小さな穴を空けそこに糸鋸の刃を通し、中を切り出すような方法もある。
（その他の参照  日貿出版社橋本元宏著「楽しく作ろう糸鋸クラフト」６８頁）
【発明が解決しようとする課題】
【０００３】  板材に対してドリル、ＮＣ及びその他の機械で穴を開けているため、木材の繊維を断ち切っている。木材の繊維は、強度に重要な影響を与えるものである。その繊維を断ち切って加工するので、強度を得ることが難しく、リングにはある程度の厚さをとらなければならない。そういった強度の面から、製品はブナやナラをはじめとした硬い広葉樹を材料にしたものに限られ、スギなどのやわらかい針葉樹では十分な強度が得られず、製品に至っていない。
更に硬化させるためウレタンなどの塗装を施すものが多く、その場合表面の肌触りはウレタン塗膜の感触であり木材の肌触りは消えてしまう。
加えて、機械で製作する為形状も一律で意匠性に欠ける。
【課題を解決するための手段】
【０００４】  本発明は、木質リング状部材の製作に於いて、材料として死節（抜節）から節穴内部に納まっている枝を排除した周辺部分を使用することにより従来の製品より高い強度を得ようとする発明である。節部分は、繊維が節を避けるようにして通っており、リング状に加工してもリング状に現れ、繊維を断ち切ることがない。加えて、枝を支えていた部分に当たるため、周辺の組織よりも強い組織で形成されている。そのため、節以外の部分で製作するより高い強度を得ることができる上、死節（抜節）に関しては穴も自然なかたちであいており、木質リング状部材には非常に適している材料となる。
また、加工方法として繊維方向に割るという工程を取り入る。割るという工程は、木材を木目に沿って加工するための最も身近で簡単な方法であり、節周辺の加工には大変適している。本発明は、以上の点より上記の課題を解決するものとする。
【実施例】
【０００５】
【０００６】  対象とする節を含んだ丸太、角材、板材いずれかの木材を用意する。
対象とする節は、内側に樹皮を形成した抜節及び死節のみである。【０００７】  斧と台になるものを用意する。台になるものは斧の衝撃を受け止めるもので、平らで安全な場所に据える。木片が飛散する場合があるので、半径２メートル程は周辺のものをどけておく。【０００８】  丸太及び角材の場合は、丸太及び角材を繊維方向を垂直にして台の上に据える。
この時、図２のように対象とする節が上から見て時計の６時の位置にくるようにする。【０００９】  丸太及び角材の芯と６時の位置を結ぶ直線に作業者の両肩を結ぶ線が直行するように、丸太又は角材に対してまっすぐに体を向けて立つ。対象とする節と芯を結ぶ線に平行に、対象とする節と芯を避けるようにして斧を入れ割り離す。これを対象とする節から見て左右とも行う。
（図１▲１▼、図３内ａ１．ａ２及び図４内ｂ１．ｂ２参照）【００１０】  板材の場合は、００１２から始める。板材が薄い場合は、００１３から００１５を省き、００１６から行う。【００１１】  丸太または角材を、対象とする節が９時の位置にくるように方向を変える。対象とする節と芯がつくる直線の外側からほぼ３分の１の点を目標点に斧を入れる。
（図１内▲２▼、図３内ａ３及び図４内ｂ３参照）
この時、この切断による対象とする節の切断面には次の三つの可能性があるが、それぞれに従って作業を進める。
Ｉ  外側の木片が含む対象とする節の切断面が、節周辺部分との間に樹皮が存在せずつながっていて穴が空かない場合（斧を入れた点でまだ節が生きていた場合）、斧を抜き目標点を１０ミリ程外側にずらしてもう一度斧を入れる。ＩＩＩになるまで繰り返す。うまくいかなかった場合、他の節を使って最初からやり直す。
ＩＩ  外側の木片が含む対象とする節の切断面が、節周辺部分とは樹皮で隔たれていて穴が空かない場合、ドライバーやキリを用いて節穴内部に納まっている枝を掘り出す。
ＩＩＩ  外側の木片が含む対象とする節が、節穴内部に納まっている枝から抜けて外側の木片に穴が空いた場合、次の工程に進む。【００１２】  穴を６時の位置に向け、穴両側面の厚さを５ミリ程度にするため余分な部分を割り落とす。（図１内▲４▼及び図５内ｃ１．ｃ２参照）
この時外側の木片が立たなくなっていれば、左手で木片を押さえ右手で斧の根元を持って刃を目標点に当て、左右の手を同時に複数回上下させ木片の底面を台に打ちつけながら斧の重みで割る。【００１３】  ００１１の断面が年輪に沿っていないようなら、少し外側に目標点をずらして再度斧を入れ、断面に年輪に沿った曲面が現れるまで繰り返す。
角材の場合、製材された平面を残さないように外側からも斧を入れ、同様に左右の手を同時に上下させるやり方で年輪に沿った曲面が現れるまで繰り返す。（図４内ｂ４参照）【００１４】  うまくいかなかった場合及び、取れた節が手で力をかけると割れてしまうほど薄い場合は他の節を使って最初からやりなおす。【００１５】  繊維方向を上下とし、対象とする節の側面は強度が保たれる厚さを残し、上下部は側面より強度が低いので、より厚く残すことに留意しながら、節を囲む木目に沿って、斜めに斧を入れ、上部下部とも左右不要な部分を割り落とす。（図１内▲６▼参照）【００１６】  次に、小刀を用意する。節を囲む木目の流れを損なわないように気をつけながら、木目がより美しく見える立体的な曲線に削る。繊維方向を上下とし、節の側面は強度が保たれる厚さを残し、上下部は側面より強度が低いので、より厚く残す。
以上の点に留意しながら、意匠的に美しいかたちにする。【００１７】  次に紙やすり１８０番、２４０番、３２０番を用意する。繊維方向に平行にやすりを動かし、１８０番、２４０番３２０番の順にかけ、表面を滑らかに仕上げる。この時も小刀の作業同様に、節を囲む木目の流れを意識して損なわないように留意する。
【発明の効果】
【００１８】  以上のように請求項１記載の発明によれば、木質リング状部材の製作に於いて、材料として死節（抜節）から節穴内部に納まっている枝を排除した周辺部分を使用することにより従来の製品より高い強度を得ることができる。それは節周辺部分の繊維が節を避けるようにして通っており、繊維を断ち切ることなくリング状に加工することができるためである。加えて、節周辺部分は、枝を支えていた部分に当たるため、周辺の組織よりも強い組織で形成されている。そのため、節以外の部分で製作するより高い強度を得ることができる。また、自然なかたちで空いた死節（抜節）の節穴を使うことにより、おもしろみのある形状の木質リング状部材が製作できる。
請求項２記載の発明によれば、木材を繊維方向に割るという工程を取り入れることにより、木目に沿って加工することができ、節穴周辺の美しい木目の曲線をそのまま生かした木質リング状部材が製作できる。また、板材からだけでなく角材及び丸太を含む様々な状態の木材からも直接製作が可能になり、更に立体的で意匠性の高い形状が得られる。
また、材料として死節（抜節）から節穴内部に納まっている枝を排除した周辺部分を利用することにより、強度面が改善され今まで製品化に至らなかったスギなどのやわらかい針葉樹製リング状部材の製作も可能になる。スギなどのやわらかい針葉樹に関しては、硬い広葉樹と比べて人の肌にやわらかな感触を与えることや、軽いといった利点がある。
針葉樹のこの利点と、死節（抜節）から節穴内部に納まっている枝を排除した周辺部分を用いたことで生み出される立体的で意匠性の高い形状から、各種装飾品、特に肌に直接身につけるアクセサリーなどにも適する木質部材となる。こうして肌に直接身につけるアクセサリーとして使用した場合、身につける度、木材特有の艶が出て木目が浮き上がるといった美しい経年変化を楽しむことができる。加えて、死節（抜節）の内側の樹皮がヤニを多く含んでいることが、美しい経年変化にもまた作用する。
【図面の簡単な説明】
【図１】  本発明に係る木質リング状部材の製作手順を表した図である。
【図２】  本発明に係る木質リング状部材の製作準備を示した図である。
【図３】  丸太から製作する場合の切断線を表す平面図である。
【図４】  角材から製作する場合の切断線を表す平面図である。
【図５】  板材から製作する場合の切断線を表す平面図である。
【符号の説明】
Ａ      ・・・対象とする節
Ｂ      ・・・対象とする節を含む丸太
イ−イ′  ・・・切断線
ロ−ロ′  ・・・切断線
ハ−ハ′  ・・・切断線
ニ      ・・・外側の木片
ホ−ホ′  ・・・切断線
ヘ−ヘ′  ・・・切断線
ａ１〜ａ３  ・・・丸太から製作する場合の切断線１刀目〜３刀目
ｂ１〜ｂ４  ・・・角材から製作する場合の切断線１刀目〜４刀目
ｃ１〜ｃ２  ・・・板材から製作する場合の切断線１刀目及び２刀目
▲１▼〜▲６▼  ・・・木質リング状部材の製作手順
【図１】
2007210319.tif 000003
【図２】
2007210319.tif 000004
【図３】
2007210319.tif 000005
【図４】
2007210319.tif 000006
【図５】
2007210319.tif 000007